(57)【要約】【課題】ユーザの意図しないタイミングで携帯通信端末に送信されてくるメッセージデータの内容を他人に見られないようにしてセキュリティー機能を高めた携帯通信端末のメッセージデータ処理方法を提供する。【解決手段】携帯通信端末がメッセージデータを受信したときに、メッセージデータを処理するメッセージデータ処理部の動作を禁止する。単に、メッセージデータを携帯通信端末が受信したときに、メッセージデータ処理部の動作を禁止してもよいし、そのメッセージデータに含まれる特定の情報、例えば文字や時間や送信者アドレス等の情報が予め設定した情報と一致したときに、前記メッセージデータ処理部の動作を禁止する。これにより、ユーザが携帯通信端末から離れた場所にいたとしても他人にメッセージデータの内容を閲覧されることを防止できる。【選択図】  図４
2004228658.tif 000002
【特許請求の範囲】
【請求項１】
メッセージデータを処理するメッセージデータ処理手段を備えた携帯通信端末のメッセージデータ処理方法であって、
メッセージデータを受信する受信ステップと、
前記受信ステップで前記メッセージデータを受信した場合に、前記メッセージデータ処理手段の動作を禁止させる動作禁止ステップと、
を備えたことを特徴とする携帯通信端末のメッセージデータ処理方法。
【請求項２】
請求項１記載の携帯通信端末のメッセージデータ処理方法であって、
前記受信ステップで受信した前記メッセージデータに含まれる特定の情報を検出する検出ステップと、
前記検出ステップで検出した情報が、予め設定された情報と一致したときに、前記動作禁止ステップを実行させるよう制御する制御ステップと、
をさらに備えたことを特徴とする携帯通信端末のメッセージデータ処理方法。
【請求項３】
請求項２記載の携帯通信端末のメッセージデータ処理方法であって、
前記検出ステップは、前記受信ステップで受信した前記メッセージデータの受信時間情報を検出し、
前記制御ステップは、前記検出ステップで検出した前記受信時間情報が、予め設定された時間情報と一致したときに、前記動作禁止ステップを実行させるよう制御する
ことを特徴とする携帯通信端末のメッセージデータ処理方法。
【請求項４】
請求項２記載の携帯通信端末のメッセージデータ処理方法であって、
前記検出ステップは、前記受信ステップで受信した前記メッセージデータの送信者アドレス情報を検出し、
前記制御ステップは、前記検出ステップで検出した前記送信者アドレス情報が、予め設定されたアドレス情報と一致したときに、前記動作禁止ステップを実行させるよう制御する
ことを特徴とする携帯通信端末のメッセージデータ処理方法。
【請求項５】
メッセージデータを処理するメッセージデータ処理手段を備えた携帯通信端末であって、
前記メッセージデータを受信する受信手段と、
前記受信手段で前記メッセージデータを受信した場合に、前記メッセージデータ処理手段の動作を禁止させる動作禁止手段と、
を備えたことを特徴とする携帯通信端末。
【請求項６】
請求項５記載の携帯通信端末であって、
前記受信手段で受信した前記メッセージデータに含まれる特定の情報を検出する検出手段と、
前記検出手段で検出した情報が、予め設定された情報と一致したときに、前記動作禁止手段を実行させるよう制御する制御手段と、
をさらに備えたことを特徴とする携帯通信端末。
【請求項７】
請求項６記載の携帯通信端末であって、
前記検出手段は、前記受信手段で受信した前記メッセージデータの受信時間情報を検出し、
前記制御手段は、前記検出手段で検出した前記受信時間情報が、予め設定された時間情報と一致したときに、前記動作禁止手段を実行させるよう制御する
ことを特徴とする携帯通信端末。
【請求項８】
請求項６記載の携帯通信端末であって、
前記検出手段は、前記受信手段で受信した前記メッセージデータの送信者アドレス情報を検出し、
前記制御手段は、前記検出手段で検出した前記送信者アドレス情報が、予め設定されたアドレス情報と一致したときに、前記動作禁止手段を実行させるよう制御する
ことを特徴とする携帯通信端末。
【請求項９】
メッセージデータを処理するメッセージデータ処理手段を備えた携帯通信端末において実行されるメッセージデータ処理プログラムであって、
メッセージデータを受信する受信ステップと、
前記受信ステップで前記メッセージデータを受信した場合に、前記メッセージデータ処理手段の動作を禁止する動作禁止ステップと、
を備えたことを特徴とする携帯通信端末のメッセージデータ処理プログラム。
【発明の詳細な説明】
【０００１】
【発明の属する技術分野】
本発明は、携帯通信端末のメッセージデータ処理方法、携帯通信端末、携帯通信端末のメッセージデータ処理プログラムに関し、詳細には、メッセージデータの内容を他人に見られないようにしてセキュリティー機能を高める技術に関する。
【０００２】
【従来の技術】
携帯電話機は、手軽にいつでもどこでも持ち運ぶことができ、また、通話だけではなく、メッセージデータ（例えば、電子メールなど）のやり取りもできるため、近年急速に普及している。しかしながら、携帯電話機は、「常に持ち歩け、直ぐに使える」ということが逆に紛失しやすく、他人に情報を読まれやすいという側面を有する。
【０００３】
そこで、受信したメッセージデータの内容を他人に読まれないようにするために、ユーザの操作を受け付けず、携帯電話機の有する各種機能にロックを掛けて使用を禁止する機能（以下、これをダイヤルロック機能という）が携帯電話機には備えられている。ダイヤルロック機能を有効にするには、ユーザは、特定の操作をしたり、若しくは指定番号からの着信の繰り返しを行うことで設定する。
【０００４】
ところで、このダイヤルロック機能は、ユーザの意図したタイミングでしか機能させることができない。しかしながら、携帯電話機における電子メールは、サーバからのプッシュ型配信であるため、ユーザが意図しないタイミングで携帯電話機内に情報が追加されることになる。このため、例えば、ダイヤルロック機能を設定していない状態で携帯電話機を机の上などに放置した場合、携帯電話機に届いた電子メールを他人に見られてしまう可能性がある。つまり、電子メールは、ユーザの意図しないときに携帯電話機に届くため、ダイヤルロック機能を有効にするタイミングをユーザは取り難い。
【０００５】
また、従来、キー操作を無効とするキーロック機能を有した移動通信端末装置において、キーロック機能を作動させた状態で文字メッセージを受信すると、自動的にキーロック機能を解除し、その後、キー操作がない場合や待ち受け状態が一定時間継続した場合に再びロックをかけ直すといった技術が提案されている（例えば、特許文献１参照）。
【０００６】
【特許文献１】
特開２００１−３３９５０９号公報（第６頁及び第７頁、第１図及び第３図）
【０００７】
【発明が解決しようとする課題】
しかしながら、特許文献１に記載される移動通信端末装置では、文字メッセージを受信したときにキーロックを解除するため、他人にメッセージの内容を見られる可能性がある。また、この移動通信端末装置では、自動的にキーロック機能を解除した後、キー操作がない場合や待ち受け状態が一定時間継続した場合に再びロックをかけ直すように設定されているが、その再ロックが掛かる前に他人にメッセージの内容を見られることも考えられる。このように、これまでの携帯電話機では、必ずしも充分なセキュリティーが確保されていない。
【０００８】
そこで、本発明は、このような課題に鑑みてなされたものであり、ユーザの意図しないタイミングで携帯通信端末に送信されてくるメッセージデータの内容を他人に見られないようにしてセキュリティー機能を高めた、携帯通信端末のメッセージデータ処理方法、携帯通信端末、携帯通信端末のメッセージデータ処理プログラムを提供することを目的とする。
【０００９】
【課題を解決するための手段】
本発明の携帯通信端末のメッセージデータ処理方法は、携帯通信端末がメッセージデータを受信した場合に、このメッセージデータを処理するメッセージデータ処理手段の動作を禁止させる。
【００１０】
本発明の方法によれば、携帯通信端末がメッセージデータを受信した場合に、このメッセージデータを処理するメッセージデータ処理手段の動作を禁止するので、携帯通信端末を机の上などに放置しておいても、携帯通信端末が受信したメッセージデータの内容を他人（第三者）に見られることはない。
【００１１】
本発明の携帯通信端末は、メッセージデータを処理するメッセージデータ処理手段と、このメッセージデータを受信する受信手段と、メッセージデータを受信した場合に前記メッセージデータ処理手段の動作を禁止させる動作禁止手段とを備えている。
【００１２】
本発明の携帯通信端末によれば、受信手段がメッセージデータを受信した場合、動作禁止手段がメッセージデータ処理手段の動作を禁止する処理を行うので、携帯通信端末を机の上などに放置しておいても、携帯通信端末が受信したメッセージデータの内容を他人に見られることはない。
【００１３】
本発明の携帯通信端末のメッセージデータ処理プログラムは、メッセージデータを受信するステップと、メッセージデータを受信した場合に、このメッセージデータを処理するメッセージデータ処理手段の動作を禁止する動作禁止ステップとを備える。
【００１４】
本発明の携帯通信端末のメッセージデータ処理プログラムによれば、メッセージデータを受信すると、このメッセージデータを処理するメッセージデータ処理手段の動作が禁止される。
【００１５】
【発明の実施の形態】
以下、本発明を適用した具体的な実施の形態について図面を参照しながら詳細に説明する。本実施の形態は、本発明を携帯電話機に適用し、その携帯電話機がメッセージデータを受信した場合に、メッセージデータを処理するメッセージデータ処理手段の動作を禁止したものである。
【００１６】
［携帯通信端末の構成］
携帯通信端末１は、例えば第１の筐体と第２の筐体を有し、これらがヒンジ部を介して二つ折りに折り畳み自在とされた、いわゆる折り畳み式の携帯電話機である。かかる携帯通信端末１は、図１に示すように、受信手段を構成するアンテナ２及び通信制御回路部３と、メモリ４と、表示部５と、キー入力部６と、スピーカ７と、マイクロフォン８と、メッセージデータを処理するメッセージデータ処理手段であるメッセージデータ処理部１４と、このメッセージデータ処理部１４の動作を禁止する動作禁止手段である動作禁止設定部９と、ダイヤルロック設定部１０と、折り畳み検知部１１と、スリープ検知部１２と、ＣＰＵ１３とを備えている。
【００１７】
通信制御回路部３は、主としてＣＯＤＥＣ（コーデック）と、ベースバンド信号回路と、ＲＦ回路（高周波回路）とから構成されている。ＣＯＤＥＣは、マイクロフォン８から入力された音声信号を符号化してベースバンド信号回路に送ると共に、ベースバンド信号回路から受けた信号を復号化することにより得られる音声信号をスピーカ７に供給する。
【００１８】
ベースバンド信号回路は、ＣＯＤＥＣから受けた信号を送信用のベースバンド信号に調整してＲＦ回路に送ると共に、ＲＦ回路が復調したベースバンド信号からＣＯＤＥＣが処理可能な信号を取り出す。ＲＦ回路は、ベースバンド信号回路から送られたベースバンド信号に応じた変調を施したＲＦ信号をアンテナ２に供給すると共に、アンテナ２を介して受信したＲＦ信号からベースバンド信号を復調してベースバンド信号回路に送る。
【００１９】
メモリ４は、例えばＲＯＭなどからなり、ＣＰＵ１３が実行するプログラムや各種設定データなどを記憶する。特に、本実施の形態では、携帯通信端末１がメッセージデータを受信したときに、この携帯通信端末１の有するメッセージデータ処理部１４の動作を禁止するためのメッセージデータ処理プログラムが、前記メモリ４に記憶されている。また、このメモリ４には、メッセージデータ処理部１４の動作を禁止するための設定条件データが記憶されている。このメッセージデータ処理プログラムと設定条件データについては、後述するものとする。
【００２０】
表示部５は、例えば液晶表示装置などから構成され、ＣＰＵ１３の制御に基づいて受信したメッセージデータの内容や画像などを表示する。キー入力部６は、キーボタンを有し、メッセージデータ処理部１４の動作を禁止するための設定条件の入力やＣＰＵ１３の動作を指示するための指示情報の入力に利用される。
【００２１】
スピーカ７は、ＣＯＤＥＣから送られた音声信号に応じた音声を出力する。一方、マイクロフォン８は、外部から音声を取り込んで、その音声を音声信号に変換してＣＯＤＥＣへ転送する。
【００２２】
メッセージデータ処理部１４は、メッセージデータに関する処理を行う。例えば、このメッセージデータ処理部１４は、受信したメッセージデータの閲覧処理、メッセージデータの新規作成処理、メッセージデータの返信作成処理、メッセージデータの編集処理、転送メール作成処理、メール通信設定などのメッセージデータ（例えばメール）に関する各種処理を行う。メッセージデータとしては、インターネットを介してメールサーバと携帯通信端末１との間でメッセージをやり取りする電子メールと、インターネットを介さずに特定のメールサーバと携帯通信端末１との間でメッセージのやり取りをする簡易メッセージ（ショートメッセージ）などの文字情報である。
【００２３】
動作禁止設定部９は、携帯通信端末１がメッセージデータを受信した場合に、この携帯通信端末１の有するメッセージデータ処理部１４の動作を禁止するように設定し、ダイヤルロック設定部１０に対してダイヤルロックするように指令する。この動作禁止設定部９は、メッセージデータ処理部１４の動作を禁止するための設定条件を決定する処理を行う条件設定手段と、受信したメッセージデータに含まれる特定の情報を検出する検出手段と、特定の情報と予め設定した前記情報とが一致するか否かを判断処理する判断手段とを有している。
【００２４】
または、この動作禁止設定部９は、折り畳み検知部１１からの検知信号により携帯電話機が折り畳まれた状態で且つメッセージデータを受信したときに、メッセージデータ処理部１４の動作を禁止するように設定し、ダイヤルロック設定部１０に対してダイヤルロックするように指令する。また、この動作禁止設定部９は、携帯電話機がスリープ検知部１２からの検知信号により携帯電話機がスリープ状態（省電力モード状態）で且つメッセージデータを受信したときに、メッセージデータ処理部１４の動作を禁止するように設定し、ダイヤルロック設定部１０に対してダイヤルロックするように指令する。
【００２５】
ダイヤルロック設定部１０は、動作禁止設定部９からの指令を受けてユーザによるキー操作を受け付けない、ダイヤルロック処理を行う。ダイヤルロックが掛けられると、受信したメッセージデータの内容を表示することやメールを作成するといった、メッセージデータを処理する動作が禁止される。
【００２６】
折り畳み検知部１１は、第１の筐体と第２の筐体が二つ折りに折り畳まれた状態であるか否かを検知する検知機構を有する。この折り畳み検知部１１によって検知された検知信号は、動作禁止設定部９に送られる。ＣＰＵ１３は、メモリ４に記憶されているメッセージデータ処理プログラムやその他各種のプログラムを実行し、携帯通信端末１の動作を制御する。
【００２７】
［メッセージデータを処理する動作禁止設定］
次に、この携帯通信端末１がメッセージデータを受信したときに、メッセージデータ処理部１４の動作を禁止させるための設定について説明する。先ず、メッセージデータの処理を禁止するための条件を、携帯通信端末１に登録する処理について説明する。図２には、メッセージデータを受信したときにメッセージデータの処理を禁止するための設定項目、設定内容及びＦｌａｇ（フラグ）が書き込まれるテーブルを示す。
【００２８】
設定項目としては、例えば携帯通信端末１が折り畳まれた状態か否かの「折り畳みの有無」と、携帯通信端末１がスリープ状態か否かの「スリープ（省電力モード）の有無」と、メッセージデータ処理部１４の動作を停止させる時間帯を指定する「特定の時間」と、メッセージデータに含まれる主題である「サブジェクト」と、メッセージデータに含まれる「本文内の特定文字」と、メッセージデータの差出人の「特定のアドレス」などである。
【００２９】
ユーザは、先ず、前記した各設定項目を取捨選択する。その設定項目の選択処理を図３のフローチャートに示す。図３のフローチャートは、動作禁止設定部９によって動作し、携帯通信端末１のメールダイヤルロック設定モード（メッセージデータを受信したときに、メッセージデータ処理部１４の動作を禁止するための設定モード）を選択することによってスタートする。
【００３０】
ステップＳ１の処理では、携帯通信端末１が折り畳まれた状態のときにメッセージデータを受信した場合に、メッセージデータ処理部１４の動作を禁止するか否かの判断を行う。動作禁止設定部９は、メッセージデータ処理部１４の動作を禁止する判断を行う場合（ＹＥＳ）には、この選択処理をステップＳ２の処理に進める。ステップＳ２の処理では、動作禁止設定部９が、フラグを立てる設定を行う。ステップＳ１の処理で前記判断を行わない場合（ＮＯ）は、動作禁止設定部９は、フラグは立てないこととして、この選択処理をステップＳ３の処理に進める。図２のテーブルでは、折り畳みの有無は判断しない設定となっている。この図２のテーブルにおいて、フラグを立てた場合を「１」で表し、フラグを立てない場合を「０」で表している。
【００３１】
ステップＳ３の処理では、携帯通信端末１がスリープ状態のときにメッセージデータを受信した場合に、メッセージデータ処理部１４の動作を禁止するか否かの判断を行う。動作禁止設定部９は、メッセージデータ処理部１４の動作を禁止する判断を行う場合（ＹＥＳ）には、この選択処理をステップＳ４の処理に進める。ステップＳ４の処理では、動作禁止設定部９が、フラグを立てる設定を行う。ステップＳ３の処理で前記判断を行わない場合（ＮＯ）は、動作禁止設定部９は、フラグは立てないこととして、この選択処理をステップＳ５の処理に進める。図２のテーブルでは、スリープの有無は判断する設定となっている。
【００３２】
ステップＳ５の処理では、メッセージデータ処理部１４の動作を禁止する時間帯を指定する特定の時間にメッセージデータを受信した場合に、メッセージデータ処理部１４の動作を禁止するか否かの判断を行う。動作禁止設定部９は、メッセージデータ処理部１４の動作を禁止する判断を行う場合（ＹＥＳ）には、この選択処理をステップＳ６の処理に進める。ステップＳ６の処理では、動作禁止設定部９が、フラグを立てる設定を行う。そして、次のステップＳ７の処理では、ユーザがその特定の時間を入力する。ステップＳ５の処理で前記判断を行わない場合（ＮＯ）は、動作禁止設定部９は、フラグは立てないこととして、この選択処理をステップＳ８の処理に進める。図２のテーブルでは、特定の時間は判断する設定となっており、その時間帯は１０：００〜１５：００とされている。つまり、１０：００〜１５：００の間にメッセージデータを携帯通信端末１が受信した場合には、メッセージデータ処理部１４の動作が禁止される。
【００３３】
ステップＳ８の処理では、受信したメッセージデータに含まれるサブジェクトに特定の文字がある場合、メッセージデータ処理部１４の動作を禁止するか否かの判断を行う。動作禁止設定部９は、メッセージデータ処理部１４の動作を禁止する判断を行う場合（ＹＥＳ）には、この選択処理をステップＳ１０の処理に進める。ステップＳ１０の処理では、動作禁止設定部９が、フラグを立てる設定を行う。そして、次のステップＳ１１の処理では、ユーザがそのサブジェクトに記述する特定の文字を入力する。ステップＳ８の処理で前記判断を行わない場合（ＮＯ）は、動作禁止設定部９は、フラグは立てないこととして、この選択処理をステップＳ１２の処理に進める。図２のテーブルでは、サブジェクトは判断する設定となっており、その特定の文字は「重要」や「秘密」とされている。例えば、サブジェクトに「重要」なる文字が含まれていた場合には、動作禁止設定部９は、メッセージデータ処理部１４の動作を禁止する。
【００３４】
ステップＳ１２の処理では、受信したメッセージデータに含まれる本文内に特定文字がある場合、メッセージデータ処理部１４の動作を禁止するか否かの判断を行う。動作禁止設定部９は、メッセージデータ処理部１４の動作を禁止する判断を行う場合（ＹＥＳ）には、この選択処理をステップＳ１３の処理に進める。ステップＳ１３の処理では、動作禁止設定部９が、フラグを立てる設定を行う。そして、次のステップＳ１４の処理では、ユーザがその特定文字を入力する。
【００３５】
ステップＳ１２の処理で前記判断を行わない場合（ＮＯ）は、動作禁止設定部９は、フラグは立てないこととして、この選択処理をステップＳ１５の処理に進める。図２のテーブルでは、本文内の特定文字は判断する設定となっており、その特定文字は「重要」や「秘密」とされている。例えば、本文内の文字に「重要」なる文字が含まれていた場合には、動作禁止設定部９は、メッセージデータ処理部１４の動作を禁止する。
【００３６】
ステップＳ１５の処理では、メッセージデータに含まれる差出人が特定のアドレスである場合、メッセージデータ処理部１４の動作を禁止するか否かの判断を行う。動作禁止設定部９は、メッセージデータ処理部１４の動作を禁止する判断を行う場合（ＹＥＳ）には、この選択処理をステップＳ１６の処理に進める。ステップＳ１６の処理では、動作禁止設定部９が、フラグを立てる設定を行う。そして、次のステップＳ１７の処理では、ユーザがその特定のアドレスを入力する。ステップＳ１５の処理で前記判断を行わない場合（ＮＯ）は、動作禁止設定部９は、フラグは立てないこととして、この選択処理を終了させる。図２のテーブルでは、特定のアドレスは判断する設定となっており、その特定アドレスは、例えば「＠ａｂｃ．ｃｏ．ｊｐ」とされている。特定のアドレスに「＠ａｂｃ．ｃｏ．ｊｐ」なる文字が含まれていた場合には、動作禁止設定部９は、メッセージデータ処理部１４の動作を禁止する。
【００３７】
「メッセージデータ処理の禁止動作」
次に、携帯通信端末１がメッセージデータを受信した場合に、メッセージデータ処理部１４の動作を禁止する処理について説明する。図４には、そのメッセージデータ処理部の動作を禁止する禁止処理のフローチャートを示す。この禁止処理は、携帯通信端末１の電源がオンとなることでスタートする。ステップＳ１８の処理では、携帯通信端末１がメッセージデータ（例えば電子メール）を受信した場合は、動作禁止設定部９は、この禁止処理をステップＳ１９に進め、携帯通信端末１がメッセージデータを受信しない場合にはこのステップＳ１８の処理を繰り返す。
【００３８】
ステップＳ１９の処理では、動作禁止設定部９は、現在の携帯通信端末１の設定判断を行う。次に、動作禁止設定部９は、ステップＳ２０の処理において、前記ステップＳ１９で判断した設定が、メッセージデータを受信したときにメッセージデータ処理部１４の動作を禁止するメールダイヤルロック設定であるか否かを判断する。このステップＳ２０の処理において、携帯通信端末１がメールダイヤルロック設定とされている場合には、動作禁止設定部９は、この禁止処理をステップＳ２１の処理に進め、携帯通信端末１がメールダイヤルロック設定とされていない場合には、この禁止処理を終了する。
【００３９】
ステップＳ２１の処理では、動作禁止設定部９は、受信したメッセージデータに含まれる特定の情報と、携帯通信端末１に予め設定された設定情報（項目）とが一致するか否かの判断処理を行う。受信したメッセージデータに含まれる特定の情報と携帯通信端末１に予め設定された設定情報とが一致した場合には、動作禁止設定部９は、この禁止処理をステップＳ２２に進め、メッセージデータ処理部１４の動作を禁止し、ユーザによるキー操作を受け付けないダイヤルロック設定を行う。
【００４０】
ダイヤルロック設定は、ダイヤルロック設定部１０が行い、ユーザによる特定の操作（例えば特定のキーボタンを長押しするなどの操作）や暗証番号の入力があるまで、メッセージデータ処理部１４の動作を禁止する。なお、ステップＳ２２の処理において、動作禁止設定部９は、情報が一致しない場合には、この禁止処理を終了させる。
【００４１】
これにより、ユーザは、例えば自分の携帯通信端末１を机の上に放置しておいた状態で携帯通信端末１がメッセージデータ（電子メールなど）を受信したとしても、メッセージデータ処理部１４の動作が禁止されるので、第三者に勝手にメッセージデータの内容を盗み見されることはない。したがって、この携帯通信端末１によれば、当該携帯通信端末１のセキュリティーの精度を高めることが可能となる。
【００４２】
ステップＳ２１における設定条件の判断処理は、図５のフローチャートに示すように、先ず、ステップＳ２３において、動作禁止設定部９は、携帯通信端末１に予め設定された設定項目が論理和（ＯＲ）であるか否かを判断する。動作禁止設定部９は、設定項目が論理和であれば（ＹＥＳ）、この設定条件の判断処理を次のステップＳ２４に進め、そうでない場合（ＮＯ）は論理積（ＡＮＤ）としてステップＳ２５に進める。
【００４３】
ステップＳ２４の処理では、記号ｉ（設定項目の番号、丸付数字１〜６）を初期化する。そして、次のステップＳ２６では、動作禁止設定部９は、メモリ４に記憶されているダイヤルロック設定の設定項目テーブルのｉ項目にフラグがあるか否かを判断する。この動作禁止設定部９は、設定項目テーブルのｉ項目にフラグがあれば、この設定条件の判断処理をステップＳ２７の処理に進め、フラグが無ければ設定条件の判断処理をステップＳ２８の処理に進める。
【００４４】
ステップＳ２７の処理では、動作禁止設定部９は、受信したメッセージデータに含まれる特定の情報と予め設定した設定情報とが一致しているか否かの判断を行う。それらの特定の情報と予め設定した設定情報とが一致している場合は、動作禁止設定部９は、この設定条件の判断処理をステップＳ２２に進め、ダイヤルロック設定を行う。特定の情報と予め設定した設定情報とが一致していなければ、動作禁止設定部９は、この設定条件の判断処理をステップＳ２８に進める。
【００４５】
ステップＳ２８の処理では、動作禁止設定部９は、設定情報が最後の項目か否かを判断する。ここでは、記号ｉを設定項目とし、丸付き数字６を図２に示した設定項目テーブル中の最後の設定項目の番号とした。このステップＳ２７の処理において、動作禁止設定部９は、設定項目が最後の場合（ＹＥＳ）には、この設定条件の判断処理を終了させ、設定項目が最後でない場合（ＮＯ）には、この設定条件の判断処理をステップＳ２９に進める。
【００４６】
ステップＳ２９の処理では、動作禁止設定部９は、設定項目の番号に１を加算する。例えば、設定項目テーブル中の項目番号が１番であるときには、この番号に１を加算して２番目の設定項目についてフラグが有るか否かを判断する。動作禁止設定部９は、設定項目の番号が最後の番号になるまで前記処理を繰り返す。
【００４７】
一方、論理積を判断する場合は、先ず、ステップＳ２５の処理で記号ｉを初期化する。そして、次のステップＳ３０で、動作禁止設定部９は、メモリ４に記憶されているダイヤルロック設定の設定項目テーブルのｉ項目にフラグがあるか否かを判断する。この動作禁止設定部９は、設定項目テーブルのｉ項目にフラグがあれば、この設定条件の判断処理をステップＳ３１の処理に進め、フラグが無ければ設定条件の判断処理をステップＳ３２の処理に進める。
【００４８】
ステップＳ３１の処理では、動作禁止設定部９は、受信したメッセージデータに含まれる特定の情報と予め設定した設定情報とが一致しているか否かの判断を行う。それらの特定の情報と予め設定した設定情報とが一致している場合は、動作禁止設定部９は、この設定情報の判断処理をステップＳ３２に進め、特定の情報と予め設定した設定情報とが一致していなければ、動作禁止設定部９は、この設定条件の判断処理を終了させる。
【００４９】
ステップＳ３２の処理では、動作禁止設定部９は、設定項目が最後か否かを判断する。このステップＳ３２の処理において、動作禁止設定部９は、設定項目が最後の場合（ＹＥＳ）には、この設定条件の判断処理をステップＳ２２に進め、設定項目が最後でない場合（ＮＯ）には、この設定条件の判断処理をステップＳ３３に進める。ステップＳ３３の処理では、動作禁止設定部９は、設定項目の番号に１を加算する。例えば、設定項目テーブル中の項目番号が１番であるときには、この番号に１を加算して２番目の設定項目についてフラグが有るか否かを判断する。動作禁止設定部９は、設定項目の番号が最後の番号になるまで前記処理を繰り返す。
【００５０】
このように、本実施の形態によれば、メッセージデータに含まれる特定の情報を検出し、その条件が予め設定した情報と一致したときにメッセージデータ処理部１４の動作を禁止するようにしているので、通常のダイヤルロックが掛かっていない状態でメッセージデータを新規に受信した場合でも、ダイヤルロックによって他人にメールを見られることを防止できる。
【００５１】
特に、ユーザが会議で席を離れるような場合においては、メッセージデータ処理部１４の動作を禁止する時間を予め設定しておけば、その会議の時間帯に新着メッセージデータを携帯通信端末１が受信しても第三者に見られる虞れがない。この場合の処理としては、携帯通信端末１が受信したメッセージデータの受信時間情報が、予め設定した時間情報と一致したときに、メッセージデータ処理部１４の動作を禁止するようにする。
【００５２】
同様に、特定の人からのメッセージデータを第三者に見られたくない場合には、その特定の人のメールアドレスを予め携帯通信端末１に設定しておけば、その人からのメッセージデータの内容は他人に見られることはない。この場合の処理としては、携帯通信端末１が受信したメッセージデータの送信者アドレス情報が、予め設定したアドレス情報と一致したときに、メッセージデータ処理部１４の動作を禁止するようにする。
【００５３】
［その他の実施の形態］
以上、本発明を適用した具体的な実施の形態について説明したが、本発明は上述の実施の形態に制限されることなく種々の変更が可能である。
【００５４】
例えば、上述の実施の形態では、メッセージデータを受信したときに、そのメッセージデータに含まれる特定の情報を検出し、その情報が予め設定した情報と一致したときに、メッセージデータ処理部１４の動作を禁止するようにしたが、単に、メッセージデータを受信したときに、メッセージデータ処理部１４の動作を禁止させてもよい。この場合は、メッセージデータの内容に拘わらず、携帯通信端末１がメッセージデータを受信することによってメッセージデータ処理部１４の動作が禁止される。
【００５５】
また、上述の実施の形態では、全てのメッセージデータの処理に対してダイヤルロックしたが、本発明では、新規に受信したメッセージデータまたは未読のメッセージデータに対してのみダイヤルロックし、その新規に受信したメッセージデータまたは未読のメッセージデータを第三者に閲覧不可能としてもよい。
【００５６】
また、本発明では、メッセージデータの処理に関する操作を禁止するダイヤルロック機能を分類し、そのセキュリティーレベルをユーザに設定させることもできる。ダイヤルロック機能の分類としては、例えば新規メール受信の閲覧不可、メールの着信履歴の閲覧不可、メールを受信したときの着信音選択不可、全てのメッセージデータの処理の不可などである。ユーザは、これらの中からメッセージデータの処理に対するロック条件を選択する。
【００５７】
また、本実施の形態では、携帯通信端末１を紛失してしまった場合でも、ユーザが携帯通信端末１に対してメッセージデータを送信することで、メッセージデータの処理に関する操作を禁止することができ、第三者によるメッセージデータの内容の閲覧を防止できる。
【００５８】
また、本発明では、メッセージデータのやり取りを行う者との間でダイヤルロックを行うための特定の情報を共有し、送信先の本人以外にメッセージデータの内容を見られないためのセキュリティー手段として本発明を応用できる。
【００５９】
また、本実施の形態では、本発明を携帯電話機に適用したが、通信機能を備えたＰＤＡ（Ｐｅｒｓｏｎａｌ  Ｄｉｇｉｔａｌ  Ａｓｓｉｓｔａｎｔ）などの携帯通信端末などに本発明を適用することもできる。
【００６０】
【発明の効果】
本発明の携帯通信端末のメッセージデータ処理方法によれば、携帯通信端末がメッセージデータを受信した場合に、メッセージデータを処理するメッセージデータ手段の動作を禁止するため、ユーザが携帯通信端末から離れた場所にいたとしても他人にメッセージデータの内容を閲覧されることがなく、セキュリティーの強化を図ることができる。
【００６１】
本発明の携帯通信端末によれば、受信手段がメッセージデータを受信した場合に、メッセージデータを処理するメッセージデータ処理手段の動作を禁止する動作禁止手段を有しているので、ユーザの意図しないタイミングで携帯通信端末に送信されてくるメッセージデータの内容を他人に見られないようにしてセキュリティー機能を高めることができる。
【図面の簡単な説明】
【図１】本実施の形態の携帯通信端末のブロック図である。
【図２】本実施の形態の携帯通信端末におけるダイヤルロック設定の設定項目テーブルである。
【図３】携帯通信端末がメッセージデータを受信したときに、メッセージデータ処理部の動作を禁止する特定情報を設定するための設定条件の選択処理の流れを示すフローチャートである。
【図４】携帯通信端末がメッセージデータを受信したときに、メッセージデータ処理部の動作を禁止する禁止処理のフローチャートである。
【図５】設定条件の判断処理を示すフローチャートである。
【符号の説明】
１…携帯通信端末
２…アンテナ
３…通信制御回路部
４…メモリ
６…キー入力部
９…動作禁止設定部
１０…ダイヤルロック設定部
１１…折り畳み検知部
１２…スリープ検知部
１３…ＣＰＵ
１４…メッセージデータ処理部
【図１】
2004228658.tif 000003
【図２】
2004228658.tif 000004
【図３】
2004228658.tif 000005
【図４】
2004228658.tif 000006
【図５】
2004228658.tif 000007